(57)【要約】【課題】取付孔裏面側のスペースが狭くとも、浴槽内側からの一方向作業で組み付けることができる給湯口アダプターを提供する。【解決手段】本発明は、浴槽壁Ｗの取付孔Ｈにおける浴槽外側に配置され、かつ取付孔Ｈに挿通可能なボディＢと、前部が浴槽内側に配置された状態で後部が浴槽内側から取付孔Ｈに挿通されてボディＢに接続されるアダプター本体５とを備え、ボディＢは、ボディ本体１と、そのボディ本体１に突出状に設けられた外管接続用の外管接続部２１とを備えた給湯口アダプターＡを対象とする。ボディ本体１の軸心Ｘ１に対し外管接続部２１の軸心Ｘ２１が折れ曲がるように配置されるとともに、ボディ本体１の軸心Ｘ１に対する外管接続部２１の軸心Ｘ２１の折り曲げ角度θが、９０°を超える角度に設定されて、外管接続部２１の先端側が基端側よりも前方に配置される。【選択図】図５
2018036021.tif 000002
【特許請求の範囲】
【請求項１】
浴槽壁の取付孔における浴槽外側に配置され、かつ取付孔に挿通可能なボディと、前部が浴槽内側に配置された状態で後部が浴槽内側から取付孔に挿通されて前記ボディに接続されるアダプター本体とを備え、前記ボディは、ボディ本体と、そのボディ本体に突出状に設けられた外管接続用の外管接続部とを備え、前記外管接続部から前記ボディ本体内に供給される湯水が前記アダプター本体の前部から吐出されるようにした給湯口アダプターであって、
前記ボディ本体の軸心に対し前記外管接続部の軸心が折れ曲がるように配置されるとともに、
前記ボディ本体の軸心に対する前記外管接続部の軸心の折り曲げ角度が、９０°を超える角度に設定されて、前記外管接続部の先端側が基端側よりも前方に配置されていることを特徴とする給湯口アダプター。
【請求項２】
前記外管接続部の先端から前記ボディ本体の前端にかけて設けられた湯水流通用の管路が、２箇所以上の位置で折れ曲がるように形成されている請求項１に記載の給湯口アダプター。
【請求項３】
前記外管接続部に嵌め込まれた外管の外周に管バンドが巻き付けられるとともに、その管バンドの留め金部が後側に配置されている請求項１または２に記載の給湯口アダプター。
【請求項４】
前記槽外取付部材の軸心に対する前記外管接続部の折り曲げ角度が９５°〜１１０°に設定されている請求項１〜３のいずれか１項に記載の給湯口アダプター。
【請求項５】
前記ボディ本体に管状の継手受部が設けられるとともに、その継手受部の先端側に前記ボディ本体の軸心に対し傾斜する傾斜接合面が設けられ、
前記継手受部に取り付けられる管用継手に前記外管接続部が設けられるとともに、前記外管接続部の基端側に、その外管接続部の軸心に対し傾斜する傾斜接合面が設けられ、
前記継手受部の傾斜接合面に前記管用継手の傾斜接合面が接合されることによって、前記ボディ本体の軸心に対し前記外管突出部の軸心が折れ曲がるように配置されている請求項１〜４のいずれか１項に記載の給湯口アダプター。
【請求項６】
前記ボディ本体の軸心に対する、前記継手受部の傾斜接合面の直交軸の折り曲げ角度と、前記外管接続部の傾斜接合面の直交軸に対する、前記外管接続部の軸心の折り曲げ角度とが同じ角度に設定されている請求項５に記載の給湯口アダプター。
【請求項７】
浴槽壁の取付孔における浴槽外側に配置され、かつ取付孔に挿通可能なボディと、前部が浴槽内側に配置された状態で後部が浴槽内側から取付孔に挿通されて前記ボディに接続されるアダプター本体とを備え、前記ボディは、ボディ本体と、そのボディ本体に突出状に設けられ、かつ外管が接続される外管接続部とを備え、前記外管を介して前記外管接続部から前記ボディ本体内に供給される湯水が前記アダプター本体の前部から吐出されるようにした給湯口アダプターの取付構造であって、
前記ボディ本体の軸心に対し前記外管接続部の軸心が折れ曲がるように配置されるとともに、
前記ボディ本体の軸心に対する前記外管接続部の軸心の折り曲げ角度が、９０°を超える角度に設定されて、前記外管接続部の先端側が基端側よりも前方に配置されていることを特徴とする給湯口アダプターの取付構造。
【請求項８】
請求項１〜６のいずれか１項に記載の給湯口アダプターを浴槽壁の取付孔に取り付けるようにした給湯口アダプターの取付方法であって、
浴槽外側から取付孔を介して浴槽内側に引き込まれた外管の引込端部を、前記ボディの外管接続部に接続する工程と、
外管が接続されたボディを取付孔に通過させて浴槽外側に配置する工程と、
前記アダプター本体の後部を取付孔に挿入して前記槽外取付部材に接続するとともに、前記アダプター本体の前部を浴槽内側に配置する工程とを含むことを特徴とする給湯口アダプターの取付方法。
【発明の詳細な説明】
【技術分野】
【０００１】
この発明は、浴槽の壁部に湯水の吐出／吸引用に取り付けられる給湯口アダプター、その取付構造および取付方法に関する。
【背景技術】
【０００２】
湯水循環式の浴槽システムにおいては、浴槽壁に給湯口アダプターが組み付けられており、この給湯口アダプターを介して、室外給湯機から浴槽内に湯水を供給したり、室外給湯機と浴槽との間で湯水を循環させるようにしている。通常の給湯口アダプターは、浴槽の外側（裏側）に配置されるボディ等の槽外取付部材と、浴槽の内側（表側）に配置される雄ねじ部材およびアダプター本体とを備え、雄ねじ部材が浴槽壁の取付孔を通じてボディにねじ込まれて、両者により浴槽壁の取付孔周縁部を挟持した状態でアダプター本体が雄ねじ部材に固定されることにより、浴槽壁に組み付けられている。
【０００３】
一般にこのような給湯口アダプターは、ボディが浴槽の外壁面に取り付けられるものであるため、構造上、浴槽の裏側における取付孔周辺で作業できないような場合、組み付けることが困難である。
【０００４】
そこで特許文献１〜３に示すように、ボディ等の槽外取付部材を浴槽の内側から組み付けることができるようにした浴槽の配管施工方法が提案されている。この施工方法に用いられる給湯口アダプターは、浴槽内側から浴槽壁の取付孔に挿通可能なボディ（槽外取付部材）と、浴槽内側に組み付けられるアダプター本体と、ボディおよびアダプター本体間を連結する連結部材とを備えている。そして給湯口アダプターを浴槽壁に組み付けるには、浴槽外側から往き管および戻り管等の外管を取付孔を介して浴槽内に引き込んでおき、浴槽内側において外管の引込端部にボディを接続した後、その外管付きのボディを取付孔に通して浴槽裏側に配置する。その後、アダプター本体を連結部材を介してボディに固定することにより、給湯口アダプターを浴槽壁に組み付けるようにしている。
【０００５】
一方、ボディを浴槽の外部から組み付けるようにした通常の給湯口アダプターにおいては、ボディに突出状に設けられる外管接続部が、ボディの軸心に対し平行に後方へ突出するＳ型（Ｉ型）と、ボディの軸心に対し９０°折れ曲がった方向（直交方向）に突出するＬ型とが採用されている。そして一般的には浴槽壁における取付孔の裏面側に十分なスペースがあるような場合には、Ｓ型ボディが採用されて、外管をボディ（アダプター）の軸心に沿って後方に引き出すように敷設する。また浴槽壁における取付孔の裏面側に十分なスペースがない場合例えば、取付孔の裏面側近傍に外壁が配置されているような場合には、外管をアダプターの軸心に沿って引き出せないため、Ｌ型ボディが採用される。つまり外管をボディの軸心に対し直交方向に引き出して、浴槽外壁面に沿わせるように敷設する。
【先行技術文献】
【特許文献】
【０００６】
【特許文献１】特許第３５１３５８２号
【特許文献２】特許第３９８１７８６号
【特許文献３】特許第４１２９７０９号
【発明の開示】
【発明が解決しようとする課題】
【０００７】
しかしながら、上記特許文献１〜３に開示されるような浴槽内側からの作業で組み付けることができる給湯口アダプター（内施工式アダプター）においては、Ｓ型のボディだけしか採用することができず、取付孔の裏面側近傍に外壁が配置されて取付孔の裏面側スペースが狭いような箇所には、組み付けることができないという課題があった。すなわち上記特許文献１〜３に示すような従来の内施工式アダプターにおいて、ボディの軸心に対し直角に突出した外管接続部を有するＬ型ボディを採用することになるが、そのＬ型ボディの外管接続部に外管を嵌め込んで接続した場合、外管の接続端部外周に巻き付けられる管バンドの一部がボディよりも後方に配置されることがある。そうすると、管バンドが取付孔裏面側の外壁に干渉してしまい、ボディを所定の位置まで押し込むことができず、ボディを取り付けることができなくなり、ひいては給湯口アダプターを組み付けることができないという課題があった。
【０００８】
この発明は、上記の課題に鑑みてなされたものであり、取付孔裏面側のスペースが狭くとも、浴槽内側からの作業で組み付けることができる給湯口アダプター、その取付構造および取付方法を提供することを目的とする。
【課題を解決するための手段】
【０００９】
上記課題を解決するため、本発明は、以下の手段を備えるものである。
【００１０】
［１］浴槽壁の取付孔における浴槽外側に配置され、かつ取付孔に挿通可能なボディと、前部が浴槽内側に配置された状態で後部が浴槽内側から取付孔に挿通されて前記ボディに接続されるアダプター本体とを備え、前記ボディは、ボディ本体と、そのボディ本体に突出状に設けられた外管接続用の外管接続部とを備え、前記外管接続部から前記ボディ本体内に供給される湯水が前記アダプター本体の前部から吐出されるようにした給湯口アダプターであって、
前記ボディ本体の軸心に対し前記外管接続部の軸心が折れ曲がるように配置されるとともに、
前記ボディ本体の軸心に対する前記外管接続部の軸心の折り曲げ角度が、９０°を超える角度に設定されて、前記外管接続部の先端側が基端側よりも前方に配置されていることを特徴とする給湯口アダプター。
【００１１】
［２］前記外管接続部の先端から前記ボディ本体の前端にかけて設けられた湯水流通用の管路が、２箇所以上の位置で折れ曲がるように形成されている前項１に記載の給湯口アダプター。
【００１２】
［３］前記外管接続部に嵌め込まれた外管の外周に管バンドが巻き付けられるとともに、その管バンドの留め金部が後側に配置されている前項１または２に記載の給湯口アダプター。
【００１３】
［４］前記槽外取付部材の軸心に対する前記外管接続部の折り曲げ角度が９５°〜１１０°に設定されている前項１〜３のいずれか１項に記載の給湯口アダプター。
【００１４】
［５］前記ボディ本体に管状の継手受部が設けられるとともに、その継手受部の先端側に前記ボディ本体の軸心に対し傾斜する傾斜接合面が設けられ、
前記継手受部に取り付けられる管用継手に前記外管接続部が設けられるとともに、前記外管接続部の基端側に、その外管接続部の軸心に対し傾斜する傾斜接合面が設けられ、
前記継手受部の傾斜接合面に前記管用継手の傾斜接合面が接合されることによって、前記ボディ本体の軸心に対し前記外管突出部の軸心が折れ曲がるように配置されている前項１〜４のいずれか１項に記載の給湯口アダプター。
【００１５】
［６］前記ボディ本体の軸心に対する、前記継手受部の傾斜接合面の直交軸の折り曲げ角度と、前記外管接続部の傾斜接合面の直交軸に対する、前記外管接続部の軸心の折り曲げ角度とが同じ角度に設定されている前項５に記載の給湯口アダプター。
【００１６】
［７］浴槽壁の取付孔における浴槽外側に配置され、かつ取付孔に挿通可能なボディと、前部が浴槽内側に配置された状態で後部が浴槽内側から取付孔に挿通されて前記ボディに接続されるアダプター本体とを備え、前記ボディは、ボディ本体と、そのボディ本体に突出状に設けられ、かつ外管が接続される外管接続部とを備え、前記外管を介して前記外管接続部から前記ボディ本体内に供給される湯水が前記アダプター本体の前部から吐出されるようにした給湯口アダプターの取付構造であって、
前記ボディ本体の軸心に対し前記外管接続部の軸心が折れ曲がるように配置されるとともに、
前記ボディ本体の軸心に対する前記外管接続部の軸心の折り曲げ角度が、９０°を超える角度に設定されて、前記外管接続部の先端側が基端側よりも前方に配置されていることを特徴とする給湯口アダプターの取付構造。
【００１７】
［８］前項１〜６のいずれか１項に記載の給湯口アダプターを浴槽壁の取付孔に取り付けるようにした給湯口アダプターの取付方法であって、
浴槽外側から取付孔を介して浴槽内側に引き込まれた外管の引込端部を、前記ボディの外管接続部に接続する工程と、
外管が接続されたボディを取付孔に通過させて浴槽外側に配置する工程と、
前記アダプター本体の後部を取付孔に挿入して前記槽外取付部材に接続するとともに、前記アダプター本体の前部を浴槽内側に配置する工程とを含むことを特徴とする給湯口アダプターの取付方法。
【発明の効果】
【００１８】
発明［１］の給湯口アダプターによれば、ボディ本体の軸心に対する外管接続部の軸心の折り曲げ角度を９０°を超える角度に設定して、外管接続部の先端側を基端側よりも前方に配置しているため、外管接続部に外管固定用に取り付けられる管バンドを前方に配置できその分、管バンドの後方突出量を少なくすることができる。このため管バンドが外壁等の周辺部材に干渉するのを防止でき、ボディを浴槽裏側に確実に組み付けることができ、浴槽裏側のスペースが狭くとも確実に組み付けることができる。さらにボディは浴槽壁の取付孔に挿通可能であるため、ボディを浴槽内側から取り付けることができ、アダプター全体を浴槽内側からの作業で組み付けることができ、作業性を向上させることができる。
【００１９】
発明［２］の給湯口アダプターによれば、ボディ内に設けられた湯水流通用の管路を２箇所以上の箇所で折り曲げるように形成しているため、管路を１箇所で大きく折り曲げるように形成する場合と比較して、管路内に急な折れ曲がり部が無くなり、湯水の流通をスムーズに行うことができる。
【００２０】
発明［３］の給湯口アダプターによれば、外管接続部に外管固定用に取り付けられる管バンドの留め金部を外側に配置しているため、外管付きのボディを浴槽壁の取付孔に挿通する際に、留め金部が取付孔内周面に引っ掛かるのを防止でき、外管付きのボディを取付孔に確実に挿通することができ、アダプター全体を浴槽内側からの作業でより確実に組み付けることができる。
【００２１】
発明［４］の給湯口アダプターによれば、上記の効果をより確実に得ることができる。
【００２２】
発明［５］の給湯口アダプターによれば、管用継手をその軸心回りに１８０°回転させてボディ本体の継手受部に取り付けることにより、外管接続部の折り曲げ角度を変更することができる。従って施工現場の状況に応じて、外管の引出方向を変更することができ、汎用性を向上させることができる。
【００２３】
発明［６］の給湯口アダプターによれば、外管接続部の軸心をボディ本体の軸心に対し平行となるように変更することができる。従って外管接続部に接続する外管をボディ本体の軸心に対しほぼ直交する方向に引き出すＬ型仕様の形態の他に、施工現場の状況に応じて、外管をボディ本体の時軸心に沿って後方に引き出すＳ型仕様の形態も採用することができ、より一層汎用性を向上させることができる。
【００２４】
発明［７］の給湯口アダプターの取付構造によれば、上記発明の給湯口アダプターと主要構成が同一であるため上記と同様に、浴槽裏側のスペースが狭くとも、浴槽内側からの一方向の作業で給湯口アダプターを確実に組み付けることができる。
【００２５】
発明［８］の給湯口アダプターの取付方法によれば、上記発明の給湯口アダプターを用いるものであるため、浴槽裏側のスペースが狭くとも、浴槽内側からの一方向の作業で給湯口アダプターを確実に組み付けることができる。
【図面の簡単な説明】
【００２６】
【図１】図１はこの発明の実施形態である給湯口アダプターの取付構造を分解して示す斜視図である。
【図２】図２は実施形態の給湯口アダプターの取付構造をその一部を切り欠いて示す側面図である。
【図３】図３は実施形態の給湯口アダプターの取付構造を示す正面図である。
【図４】図４は実施形態の給湯口アダプターの取付構造を示す平面図である。
【図５】図５は実施形態の給湯口アダプターに適用されたボディを示す側面図である。
【図６】図６は本実施形態のボディを分解して示す側面図である。
【図７】図７は本実施形態のボディの基板部分を爪閉じ状態で示す図であって、図（ａ）は正面図、図（ｂ）は側面図である。
【図８】図８は本実施形態のボディの基板部分を爪開き状態で示す図であって、図（ａ）は正面図、図（ｂ）は側面図である。
【図９】図９は本実施形態の給湯口アダプターに適用されたフランジ部材を示す図であって、図（ａ）は正面図、図（ｂ）は分解側面図である。
【図１０】図１０は本実施形態の給湯口アダプターにおいて外管付きのボディを取付孔に挿通する際の手順を説明するための図であって、図（ａ）はボディの外管接続部を挿通している状態を示す側面断面図、図（ｂ）はボディの継手受部を挿通している状態を示す側面断面図、図（ｃ）ボディの管部を挿通している状態を示す側面断面図、図（ｄ）はボディを挿通した直後の状態を示す側面断面図である。
【図１１】図１１は実施形態の給湯口アダプターをＳ型仕様の形態で示す側面図である。
【図１２】図１２は参考例の給湯口アダプターにおいて外管付きのボディを示す図であって、図（ａ）は側面断面図、図（ｂ）はボディの継手受部を取付孔に挿通している状態を示す側面断面図である。
【発明を実施するための形態】
【００２７】
図１はこの発明の実施形態である給湯口アダプターの取付構造を分解して示す斜視図、図２は側面断面図、図３は正面図、図４は平面図である。
【００２８】
これらの図に示すように本実施形態に採用される給湯口アダプターＡは、浴槽壁Ｗに設けられた取付孔Ｈに組み付けられる。この給湯口アダプターＡは、室外の給湯機から供給された湯水を浴槽内に供給する湯はり処理の他に、浴槽内の湯水を吸い込んで室外の給湯機に送り、そこで再加熱して、高温のお湯を浴槽内に戻すようにした追い焚き処理を行えるものである。
【００２９】
本実施形態の給湯口アダプターＡは、槽外取付部材を構成するボディＢと、フランジ部材３と、長ねじ４と、流路仕切部材等と称されるアダプター本体５とを基本的な構成要素として備えている。なお、以下の説明においては、発明の理解を容易にするため、給湯口アダプターＡの軸心方向に沿って浴槽に対して内側（図２の左側）を「前側」「正面側」「表側（表面側）」とし、浴槽に対して外側（図２の右側）を「後側」「裏側（裏面側）」または「背面側」として説明する。
【００３０】
図５および図６は実施形態の給湯口アダプターＡに採用されたボディＢを示す図である。図２〜図６に示すようにボディＢは、ボディ本体１と、２本の管用継手２，２とを備えている。ボディ本体１は、円形フランジ状の基板１１と、基板１１の裏面側に設けられた２本の管部１２，１２と、管部１２，１２の後端に設けられ、かつ上記２本の管用継手２，２に対応して設けられる２本の継手受部１３，１３とを備えている。ボディ本体１において２本の管部１２，１２はボディ本体１の軸心Ｘ１と平行に後方に延びるように配置され、継手受部１３，１３は下方に屈曲するようにしてボディ本体１０の軸心Ｘ１に対し斜め下方に延びるように配置されている。なお本実施形態において、ボディ本体１の軸心Ｘ１は、管部１２の軸心に一致するものである。さらに本実施形態において、給湯口アダプターＡの軸心およびボディＢの軸心という場合、実質的にボディ本体１の軸心Ｘ１と同じ意味で用いられており、ボディ本体１の軸心Ｘ１と一致するものである。
【００３１】
管部１２および継手受部１３は断面が縦長楕円形の中空管状に形成されて互いに連通接続されて、管部１２の前端が基板１１の前面において開口されている。さらに継手受部１３の後端には傾斜接合面１４が設けられ、継手受部１３の後端がこの傾斜接合面１４において開口されている。傾斜接合面１４は、継手受部１３の軸心Ｘ１３に対し直交する平面上に配置されており、換言するとボディ１の軸心Ｘ１に対し傾斜する平面上に配置されている。本実施形態においてボディ１の軸心Ｘ１に対する継手受部１３の軸心Ｘ１３の角度（折り曲げ角度）θ１は５０°に設定されている（図６参照）。なお本実施形態において継手受部１３の軸心Ｘ１３は、傾斜接合面１４の直交軸に相当する。
【００３２】
管用継手２は、往き管および戻り管等の外管９（図２参照）を接続するための外管接続部２１と、外管接続部２１の基端に、略前方に突出状に設けられた差込連結部２５と、差込連結部２５における外管接続部２１側の端部外周に設けられた外向きフランジ２３とを備えている。
【００３３】
この管用継手２において、差込連結部２５の軸心Ｘ２５に対し、外管接続部２１の軸心Ｘ２１は折れ曲がるように配置されており、差込連結部２５の軸心Ｘ２５に対し外管接続部２１の軸心Ｘ２１の角度（折り曲げ角度）θ２は５０°に設定されている（図６参照）。この折り曲げ角度θ２は、上記折り曲げ角度θ１と同じ角度に設定されている。
【００３４】
フランジ２３の前面は傾斜接合面２４として構成されており、この傾斜接合面２４は差込連結部２５の軸心Ｘ２５に対し直交する平面上に配置されている。換言すれば外管接続部２１の軸心Ｘ２１に対し傾斜する平面上に傾斜接合面２４が配置されている。なお本実施形態において差込連結部２５の軸心Ｘ２５は、傾斜接合面２４の直交軸に相当する。
【００３５】
管用継手２における外管接続部２１および差込連結部２５は、中空管状に形成されて互いに連通されており、外管接続部２１の後端開口が差込連結部２５の前端開口に連通されている。
【００３６】
差込連結部２５はその断面形状が、継手受部１３の開口部の形状に対応して縦長の楕円形状に形成されるとともに、外管接続部２１の断面形状は、円形に形成されており、往き管および戻り管等の外管９を外嵌して固定できるようになっている。
【００３７】
この管用継手２の差込連結部２５がボディ本体１における継手受部１３の開口に差し込まれて連結されることによって、ボディＢが組み立てられている。この組立状態においては、継手受部１３の傾斜接合面１４と管用継手２の傾斜接合面２４とが面接触することにより、継手受部１３の軸心Ｘ１３と管用継手２の外管接続部２１の軸心Ｘ２１とが一致するようになっている。従って、ボディＢ（ボディ本体１）の軸心Ｘ１に対する外管接続部２１の軸心Ｘ２１の角度（折り曲げ角度）θは、ボディ本体１の軸心Ｘ１および継手受部１３の軸心Ｘ１３間の折り曲げ角度θ１と、外管接続部２１の軸心Ｘ２１および差込連結部２５の軸心Ｘ２５間の折り曲げ角度θ２とを加えた値である１００°に設定されている（図５参照）。このようにボディ本体１の軸心Ｘ１に対する外管接続部２１の軸心Ｘ２１の折り曲げ角度θが９０°を超える角度に設定されているため、外管接続部２１はその基端側（上端側）が先端側（下端側）に向かうに従って次第に前方に配置されるようになっている。
【００３８】
また本実施形態においては、管用継手２の内部における中空管状部と、ボディ本体１の管部１２の内部における中空管状部とによって、外管接続部２１の先端（下端）からボディ本体１の前端にかけて互いに独立した２本の管路が並列に設けられるとともに、各管路を湯水が流通できるように構成されている。
【００３９】
ここで本実施形態においては、折り曲げ角度θは、直角「９０°」を含まない９０°を超える角度に設定する必要があり、より好ましくは９５°〜１１０°に設定するのが良い。すなわちこの折り曲げ角度θが９０°以下とで狭過ぎる場合には、後に詳述するように給湯口アダプターＡを浴槽壁Ｗに組み付ける際に、ボディＢを所定位置まで押し込むことができず、給湯口アダプターＡを組み付けることが困難になるおそれがあり、好ましくない。
【００４０】
図７および図８はボディＢの基板部分を示す図である。両図に示すようにボディＢにおける基板１１の前面側には、その上下位置にねじ切り孔１６，１６が形成されており、長ねじ４，４をねじ止め固定できるように構成されている。
【００４１】
さらにボディＢの基板１１の外周部の４箇所には、外周部の一部を構成するようにして係止爪１７がそれぞれ設けられている。各係止爪１７の周方向の一端側は回転自在に取り付けられるとともに、他端側は固定されずに自由端となっている。これにより各係止爪１７は、図７に示す閉じた状態と、図８に示す開いた状態との間で開閉自在に構成されている。そして図７に示すように各係止爪１７を閉じた状態では各係止爪１７が基板１１の外周に沿うように配置されて基板１１が正面視（前面視）で円形に形成されて、外径寸法が浴槽壁Ｗにおける取付孔Ｈの内径寸法よりも小さくなるように構成されている。よって係止爪１７を閉じた状態では、基板１１を取付孔Ｈに挿通できるように構成されている。また図８に示すように各係止爪１７を開いた状態では各係止爪１７が外径方向に突出するように配置される。この開いた状態では、円盤１１を取付孔Ｈに挿通できないように構成されるとともに、各係止爪１７の爪先が浴槽壁Ｗにおける取付孔Ｈの周縁部に係止できるように構成されている。
【００４２】
なおボディＢにおける基板１１より後方の部位、つまり管部１２、継手受部１３および管用継手２は軸心方向に直交する断面形状が、取付孔Ｈの断面形状内に収まるように構成されており、係止爪１７を閉じた状態では基本的に、ボディＢ全体を取付孔Ｈに挿通できるように構成されている。
【００４３】
図１〜図４に示すようにアダプター本体５は、中空構造の円盤状の槽内突出部５１を備えている。槽内突出部５１はその外径寸法が浴槽壁Ｗにおける取付孔Ｈの内径寸法よりも大きく形成されており、取付孔Ｈに挿通できないようになっている、
また槽内突出部５１の前壁には多数の小孔によって構成される吐出口５２，５２が左右に並んで形成されている。
【００４４】
槽内突出部５１の裏面側には、吐出口５２，５２に対応して２本の管部５５，５５が後方に延びるように形成されている。各吐出口５２，５２と対応する各管部５５，５５とは連通接続されており、管部５５，５５にその後端開口から導入された湯水は管部５５，５５を通って、それぞれ対応する吐出口５２，５２から吐出されるように構成されるとともに、吐出口５２，５２から吸引された湯水は、それぞれ対応する管部５５，５５の後端開口から流出するようになっている。
【００４５】
さらに各管部５５，５５は、ボディＢの管部１２，１２の前面開口の形状に対応して縦長の楕円形に形成されている。
【００４６】
なお本実施形態においては、アダプター本体５の槽内突出部５１が前部として構成されるとともに、管部５５，５５が後部として構成されている。
【００４７】
図１〜図３、図９に示すようにフランジ部材３は正面視円形ないし環状に形成されており、外径寸法が取付孔Ｈの内径寸法よりも大きく形成されて、取付孔Ｈを挿通できないように構成されている。
【００４８】
フランジ部材３には、アダプター本体５の管部５５，５５に対応して、管部挿通孔３１，３１が形成されるとともに、両管部挿通孔３１，３１はその中間部３２において連通接続されている。さらにフランジ部材３には、その上下２箇所にねじ止め孔３５，３５が形成されるとともに、各ねじ止め孔３５，３５にそれぞれ隣接して連通接続する大径のねじ頭部挿通孔３６，３６が形成されている。ねじ頭部挿通孔３６はその内径寸法が長ねじ４の頭部の外径寸法よりも大きく形成されており、長ねじ４の頭部を挿通できるように構成されている。ねじ止め孔３５はその内径寸法が長ねじ４の頭部の外径寸法よりも小さく、かつ長ねじ４の軸部の外径寸法よりも大きく形成されており、長ねじ４の頭部は挿通できないものの長ねじ４の軸部は挿通配置できるように構成されている。
【００４９】
またフランジ部材３の前後両面側には、環状のパッキン３８，３８が着脱自在に取り付けられている。
【００５０】
このフランジ部材３およびボディＢが浴槽壁Ｗの取付孔周縁部を挟持することにより浴槽壁Ｗに固定される。すなわち図１、図２および図１０（ｄ）に示すようにボディＢが各係止爪１７を開いた状態で各係止爪１７が浴槽壁Ｗの裏面側（槽外側）における取付孔Ｈの周縁部に係止するように配置されるとともに、フランジ部材３の外周縁部が浴槽壁Ｗの表面側（槽内側）における取付孔Ｈの周縁部に係止するように配置される。さらに２本の長ねじ４，４がフランジ部材３の各ねじ止め孔３５，３５に挿通されてボディＢの各ねじ切り孔１６，１６にねじ込まれる。こうしてフランジ部材３およびボディＢが浴槽壁Ｗの取付孔周縁部を挟持するようにして浴槽壁Ｗに固定される。
【００５１】
またアダプター本体５がその管部５５，５５がフランジ部材３の管部挿通孔３１，３１に挿通されて管部５５，５５の後端開口がボディＢの基板１１における管部１２，１２の前端開口に対応して配置された状態で、図３に示すようにアダプター本体５の前面側から４本のねじ４１が槽内突出部５１に挿通されてフランジ部材３にねじ止め固定される。こうしてアダプター本体５がフランジ部材３を介してボディＢに固定されて、給湯口アダプターＡが浴槽壁Ｗに組み付けられる。なおアダプター本体５の槽内突出部５１には、必要に応じてフィルター部材が取り付けられる。
【００５２】
この構成の給湯口アダプターの取付構造においては図２の想像線に示すように、２本の外管接続部２１，２１に、可撓性を有するフレキシブル管等によって構成される往き管および戻り管等の２本の外管９，９の一端がそれぞれ接続されるとともに、２本の外管９，９の他端が室外の給湯機に接続される。そして湯はりをダブル搬送で行う場合には、室外給湯機から２本の外管９，９にそれぞれ湯水が供給されて、両外管９，９から外管接続部２１，２１を介してボディＢの２本の管路内に導入される。各管路内に導入された湯水は各管路を通ってアダプター本体５の２本の管部５５，５５内に導入されて、２つの吐出口５２，５２から浴槽内に吐出されるようになっている。
【００５３】
また追い焚きを行う場合には、アダプター本体５における一方の吐出口５２から浴槽内の湯水が吸引されて、アダプター本体５の一方の管部５５を通って、ボディＢの一方の管路内に導入される。一方の管路に導入された湯水はその管路を通って一方の外管接続部２１から一方の外管９に供給され、その外管９を通って室外給湯機に戻される。また給湯機に戻された湯水は加熱されて、その湯水が他方の外管に供給され、ボディＢの他方の管路、アダプター本体５の他方の管部５５を通って他方の吐出口５２から浴槽内に吐出されるようになっている。こうして浴槽内と室外給湯機との間に湯水が循環されて、追い焚きが行われるようになっている。
【００５４】
以上のような構成を有する給湯口アダプターＡにおいては、浴槽壁Ｗに組み付けられた既存の給湯口アダプターを取り替えるに際して、以下に説明するように浴槽裏側の取付孔周辺で作業を行わずに、つまり浴槽内側からの作業で、既存の給湯口アダプターを撤去して新規の給湯口アダプターＡを組み付けることができる。
【００５５】
まず、既存の給湯口アダプター（旧アダプター）におけるアダプター本体５に対応する部材を取り外す。続いて、旧アダプターにおけるフランジ部材３に対応する部材（旧雄ねじ部材）を取り外すが、その前に旧アダプターにおけるボディＢに対応する部材（旧ボディ）に、浴槽内側から取付孔を通じてワイヤー等の案内部材の端部を固定しておく。その状態で旧雄ねじ部材を取り外して旧ボディを浴槽外側において取り外す。その後、旧ボディに接続された２本の外管（旧外管）を室外給湯機側から引っ張って、旧ボディおよび案内部材を作業可能な広いスペースまで引き出して、旧ボディを案内部材から取り外して、旧ボディおよび旧外管を廃棄する。
【００５６】
その後、室外給湯機に接続した新たな２本の外管９を、案内部材の端部に固定する。なお旧外管を交換せずに給湯口アダプターのみを交換するような場合には、旧外管を廃棄せずにその旧外管を案内部材に固定することになる。
【００５７】
次に浴槽内側から案内部材を引っ張って、外管９の端部を取付孔Ｈを介して浴槽内側に引き込む。続いて図１０（ａ）に示すように外管９から案内部材を取り外してから、その外管９の端部に本実施形態の給湯口アダプターＡにおけるボディＢを取り付ける。すなわちボディＢの外管接続部２１に外管９の端部を嵌め込んで、外管９の接続端部外周に管バンド９１を巻き付けて固定する。このとき、管バンド９１の留め金部９２を後側（外管接続部２１の背面側）に配置しておく。留め金部９２を後側に配置する理由については後に説明する。
【００５８】
なおボディＢに外管９を接続するに際には、予めボディＢの外管接続部２１に短寸の補助外管を管バンド９１を介して固定しておき、その補助外管に管用継手等を介して、浴槽内に引き込んだ外管９を接続するようにしても良い。
【００５９】
こうしてボディＢに外管９を接続した後、ボディＢを外管９と共に取付孔Ｈを介して浴槽外部に配置する。このときボディＢのねじ切り孔１６に予め長ねじ４の先端をねじ込んでおき、その長ねじ４の頭部を浴槽内側における取付孔Ｈの周縁部に係止することにより、ボディＢを長ねじ４を介して浴槽外側における取付孔Ｈの近傍に仮保持しておく。
【００６０】
次にドライバー等を用いて浴槽内側から取付孔Ｈを通じてボディＢの係止爪１７を開く。続いて浴槽内側からフランジ部材３のねじ頭部挿通孔３６に長ねじ４の頭部を挿通させた後、フランジ部材３を少量周方向に回転させて、長ねじ４の軸部をねじ頭部挿通孔３６からねじ止め孔３５に導入する。その後、長ねじ４をねじ込んでいくことにより、ボディＢを前面側（浴槽壁外面）に引き寄せて、ボディＢの係止爪１７を浴槽壁外面の取付孔周縁部に圧接するとともに、フランジ部材３の外周縁部を浴槽壁内面の取付孔周縁部に圧接する。こうしてボディＢおよびフランジ部材３を、両者で浴槽壁Ｗの取付孔周縁部を内外から挟持することにより浴槽壁Ｗに固定する。
【００６１】
次に、アダプター本体５をその管部５５をフランジ部材３の管部挿通孔３１および取付孔Ｈを通じてボディＢの基板前面側における管部１２の前端開口に対応して配置し、その状態でアダプター本体５の前面側からねじ４１を貫通してフランジ部材３にねじ込むことにより、アダプター本体５をフランジ部材３に固定する。これにより本実施形態の給湯口アダプターＡが浴槽壁Ｗに組み付けられて、給湯口アダプターの交換作業が完了する。
【００６２】
このように浴槽外側（裏側）の取付孔周辺で作業できないような場合でも、旧アダプターを取り外して新規の給湯口アダプターＡを確実に組み付けることができる。
【００６３】
一方、本実施形態の給湯口アダプターＡにおいては、ボディ本体１の軸心１に対する外管接続部２１の軸心Ｘ２１の折り曲げ角度θを１００°と大きくしているため、浴槽壁Ｗにおける取付孔Ｈの裏面側に十分なスペースがない場合例えば、図１０（ａ）に示すように取付孔Ｈの裏面側近傍に外壁Ｗ１が配置されているような場合であっても、浴槽内側からの作業で確実に組み付けることができる。すなわち浴槽内側において、ボディＢに外管９を接続した後、ボディＢを外管９と共に浴槽内側から取付孔Ｈに挿通する場合、図１０（ａ）〜図１０（ｃ）に示すようにボディＢを回転させつつ、ボディＢの管用継手２、継手受部１３、管部１２および基板１１と順次取付孔Ｈに挿通していき、最終的に同図（ｄ）に示すようにボディＢの全体を浴槽裏面側に押し込んで、ボディＢの軸心Ｘ１を取付孔Ｈの軸心に一致させるように配置することになる。このとき仮に、ボディＢの軸心１に対する外管接続部２１の軸心Ｘ２１の折り曲げ角度θ（図５参照）が９０°以下に設定されていると、外管接続部２１に外管９を固定するための管バンド９１の留め金部９２が、ボディＢの後端よりも後方に突出するように配置されるため、その留め金部９２が外壁Ｗ１に干渉してしまい、ボディＢを所定位置まで押し込むことができず、給湯口アダプターＡを組み付けることが困難になってしまう。
【００６４】
そこで本実施形態においては、ボディＢの軸心１に対する外管接続部２１の軸心Ｘ２１の折り曲げ角度θを１００°と大きくしているため、図１０（ｄ）に示すようにボディＢの全体を浴槽裏面側に押し込んだ際に、外管接続部２１がその先端側（下端側）が基端側（上端側）に比べて前方に位置するように配置される。このため管バンド９１の留め金部９２も前方に配置されて、留め金部９２が外壁Ｗ１に干渉するのを防止でき、ボディＢを所定位置まで確実に押し込むことができて、給湯口アダプターＡを確実に組み付けることができる。換言すれば、浴槽裏面側にボディＢを収納できるスペースさえ存在していれば、給湯口アダプターＡを浴槽壁Ｗに確実に組み付けることができる。
【００６５】
ところで図１２（ａ）に示すように、管バンド９１の留め金部９２を外管接続部２１の前側（同図の左側）に配置すれば、留め金部９２の外壁Ｗ１との干渉を防止できると考えられる。しかしながらそうすると、ボディＢを取付孔Ｈに挿通させることができなくなってしまう。すなわち留め金部９２が前側（内側）に配置されたボディＢを取付孔Ｈに挿通しつつ下方に回転させようとすると図１２（ｂ）に示すように、ボディ本体１の背面側と留め金部９２とが取付孔Ｈの内周縁部に引っ掛かってしまい、ボディＢを取付孔Ｈに挿通させることができず、給湯口アダプターＡを取り付けることができなくなってしまう。従って本実施形態のように浴槽内側からの作業で組み付けるように構成された給湯口アダプターＡにおいては既述した通り、ボディＢにおける管バンド９１の留め金部９２は外管接続部２１の後側（背面側）に配置する必要がある。
【００６６】
以上のように本実施形態の給湯口アダプターＡによれば、ボディＢにおける外管接続部２１の折り曲げ角度θを１００°に設定しているため、外管接続部２１の先端側を前方に配置でき、外管接続部２１の背面側に位置する管バンド９１の留め金部９２における後方突出量を少なくすることができる。このため、浴槽裏側のスペースが狭い場合でも、留め金部９２が外壁Ｗ１等の周辺部材に干渉するのを防止でき、ボディＢを浴槽裏面側に確実に配置することができる。従って浴槽裏側スペースが狭くとも、ボディＢ、ひいてはフランジ部材３やアダプター本体５を確実に組み付けることができる。
【００６７】
また本実施形態においては、ボディＢの外管接続部２１に外管９を固定するための管バンド９１の留め金部９２を外管接続部２１の外側（後側）に配置しているため、ボディＢを取付孔Ｈに確実に挿通することができ、浴槽内側からの作業で浴槽壁Ｗに給湯口アダプターＡを確実に組み付けることができる。
【００６８】
また本実施形態においては、ボディＢ内に設けられる管路を、管部１２および継手受部１３間の位置と、差込連結部２５および外管接続部２１間の位置との２箇所で折り曲げるように形成して、全体としての折り曲げ角度θを１００°に設定しているため、１箇所で大きく折り曲げるように形成する場合と比較して、管路内に急な折れ曲がり部が無くなり、湯水の流通を効率良くスムーズに行うことができる。なお本発明においては、管路を１箇所、または３箇所以上の位置で折り曲げるように形成していも良く、円弧状に形成するようにしても良い。管路を３箇所以上の位置で折り曲げるように形成する場合や、円弧状に形成する場合には、より一層湯水の流通を効率良くスムーズに行うことができる。
【００６９】
また本実施形態の給湯口アダプターＡにおいては、外管９をボディＢの軸心Ｘ１に対しほぼ直交する方向に配置するようにしたＬ型仕様の形態で使用しているが、本実施形態においてはＬ型仕様だけでなく、外管９をボディＢの軸心Ｘ１に対し平行に配置するようにしたＳ型仕様の形態でも使用することも可能である。すなわち図５および図６に示すように本実施形態の給湯口アダプターＡにおいては、ボディ本体１の継手受部１３に設けられた傾斜接合面１４を、管用継手２に設けられた傾斜接合面２４に接合させて、管用継手２の外管接続部２１の折り曲げ角度θを１００°に設定するとともに、ボディ本体１の軸心Ｘ１に対する傾斜接合面１４の直交軸Ｘ１３の折り曲げ角度θ１と、傾斜接合面２４の直交軸Ｘ２５に対する外管接続部２１の軸心Ｘ２１の折り曲げ角度θ２とを共に５０°に設定している。このため、管用継手２をボディ本体１の継手受部１３に接続するに際して、図５に示す状態から管用継手２を軸心回りに１８０°回転させて接続すると図１１に示すように、ボディ本体１の軸心Ｘ１と、外管接続部２１の軸心Ｘ２１とが平行になり、外管接続部２１に接続する外管９をボディＢから後方に直線上に引き出すことができる。従って浴槽壁Ｗにおける取付孔Ｈの裏側に障害物がないような場合には図１１に示すＳ型仕様の形態を採用して、浴槽壁Ｗに組み付けた給湯口アダプターＡの裏面側からアダプターＡの軸心Ｘ１に平行な直線上に沿って外管９を引き出すことができる。このように施工現場の状況に応じて、図５に示すように外管９を給湯口アダプターＡの軸心Ｘ１に対しほぼ直交する方向に引き出したり、図１１に示すように軸心Ｘ１に対し平行な方向に引き出したりすることができ、汎用性を向上させることができる。
【００７０】
なお本発明においては、ボディ本体１の軸心Ｘ１に対する傾斜接合面１４の直交軸Ｘ１３の折り曲げ角度θ１と、傾斜接合面２４の直交軸Ｘ２５に対する外管接続部２１の軸心Ｘ２１の折り曲げ角度θ２とを必ずしも一致させる必要はなく、両折り曲げ角度θ１，θ２を多少異なるように設定しても良い。
【００７１】
また上記実施形態においては、ボディ本体１と管用継手２とを別体に形成するようにしているが、それだけに限られず、本発明においては、ボディ本体１に管用継手２（外管接続部）を一体に形成するようにしても良い。
【００７２】
また上記実施形態においては、ボディＢから外管９を下方に引き出す場合を例に挙げて説明したが、それだけに限られず、本発明においては、ボディＢから外管９を側方や上方に引き出すようにしても良い。要はボディＢの軸心Ｘ１に対し略直交する方向に外管９を引き出すようにすれば良い。
【００７３】
また上記実施形態においては、給湯口アダプターを交換する際に、本発明の給湯口アダプターＡを用いる場合を例に挙げて説明したが、それだけに限られず、本発明の給湯口アダプターは、新築時や、浴槽全体のリフォーム時等、アダプターが未装着の浴槽壁に給湯口アダプターを新規に取り付ける場合にも適用することができる。
【００７４】
また上記実施形態においては、ボディＢをフランジ部材３および長ねじ４によって浴槽壁Ｗに固定するようにしているが、本発明においては、ボディＢの浴槽壁Ｗへの固定方法は特に限定されるものではなく、どのような固定手段を用いていも良い。
【００７５】
さらに上記実施形態においては、アダプター本体５を、フランジ部材３および長ねじ４を介してボディＢに連結固定するようにしているが、本発明においてはアダプター本体５のボディＢへの連結方法は特に限定されるものではなく、どのような連結手段を用いても良い。
【００７６】
また本発明においては、管バンド９１および留め金部９２の素材は特に限定されるものではなく、例えば金属製であっても、合成樹脂製であっても、合成ゴム製であっても、布製であっても良く、どのような素材を用いても良い。さらに管バンド９１の素材と、留め金部９２の素材とを同じ素材で形成しても良いし、異なる素材で形成するようにしても良い。
【産業上の利用可能性】
【００７７】
この発明の給湯口アダプターは、浴槽壁に貫通状態に組み付けられる循環金具等として用いることができる。
【符号の説明】
【００７８】
１：ボディ本体
１３：継手受部
１４：傾斜接合面
２：管用継手
２１：外管接続部
２４：傾斜接合面
５：アダプター本体
９：外管
９１：管バンド
９２：留め金部
Ａ：給湯口アダプター
Ｂ：ボディ
Ｈ：取付孔
Ｗ：浴槽壁
Ｘ１：ボディ１の軸心
Ｘ１３：継手受部の軸心（傾斜接合面の直交軸）
Ｘ２１：外管接続部の軸心
Ｘ２５：差込連結部の軸心（傾斜接合面の直交軸）
θ、θ１，θ２：折り曲げ角度
【図１】
2018036021.tif 000003
【図２】
2018036021.tif 000004
【図３】
2018036021.tif 000005
【図４】
2018036021.tif 000006
【図５】
2018036021.tif 000007
【図６】
2018036021.tif 000008
【図７】
2018036021.tif 000009
【図８】
2018036021.tif 000010
【図９】
2018036021.tif 000011
【図１０】
2018036021.tif 000012
【図１１】
2018036021.tif 000013
【図１２】
2018036021.tif 000014